(57)【特許請求の範囲】
【請求項１】
複数の遊技機を有する遊技用島台の遊技媒体処理システムであって、この処理システムは、少なくとも遊技機に対応して配設される遊技媒体返却手段と、この遊技媒体返却手段における遊技媒体計数手段で計数された値を特定可能な情報が記録された記録媒体を発行する記録媒体発行手段と、特定の前記遊技機から遊技者が離席している間、当該遊技機に対応する前記遊技媒体処理システムを所定の状態に保持するために操作される離席中操作手段と、遊技者が前記遊技媒体返却手段によって遊技用島台に返却した遊技媒体を遊技者の指示により払い戻す遊技媒体払戻し操作手段と、を備えるとともに、前記遊技媒体返却手段における遊技媒体計数手段の作動中は、少なくとも前記記録媒体発行手段、離席中操作手段が不能動化状態に制御されることを特徴とする遊技媒体処理システム。
【請求項２】
前記遊技媒体返却手段における遊技媒体計数手段の作動中、遊技媒体払戻し操作手段をも不能動化状態に制御される請求項１に記載の遊技媒体処理システム。
【発明の詳細な説明】
【０００１】
【発明の属する技術分野】
本発明は、複数の遊技機が列設されてなる遊技島台に係わり、特に前記遊技機より払出される遊技媒体を一時的に貯留し、計数した後遊技島台内に返却し、これら遊技媒体の価値を特定可能な情報を記録した記録媒体の発行を受けられるようにした遊技媒体処理システムに関する。
【０００２】
【従来の技術】
従来、複数の遊技機が列設されてなる遊技島台において、前記各遊技機に対応して設けられ、遊技機より払出される遊技媒体（例えば玉）を一時的に貯留し、計数した後遊技島台内に返却出来る計数装置を有する遊技島台としては、例えば特開平８−３８７２６号公報や特開平２−２６１４８４号公報に開示されたもの等がある。
【０００３】
【発明が解決しようとする課題】
特開平８−３８７２６号公報には、払出された遊技媒体を一時的に貯留し、返却、さらに記録媒体に書込むといった機能を有する遊技媒体処理システムが開示され、この遊技媒体システムは、操作スイッチ盤上の一部換えスイッチ、全部換えスイッチそしてプリント出力スイッチ等によって操作可能になっている。また、特開平２−２６１４８４号公報には前記公報に示された機能に加え、玉貸機とは別に返却された自己の持玉の範囲内において玉貸スイッチによって玉を払い戻す機能を備えるものが開示されている。
【０００４】
しかしながら、これらの装置にあっては、玉等の遊技媒体を返却中、すなわち遊技媒体を遊技媒体計数手段を用いて計数している最中に他のプリント出力スイッチや磁気カードのインジェクトボタン等を押した場合、計数途中の一部の遊技媒体数がカード等に書込まれることになり、その後の残り分についてはカードに書込まれず、残り分の遊技媒体数を再度カード等に書込むといった処理が必要となる。また、遊技者が遊技途中一時的に席を離れる場合に、離席用のボタンを押して返却した遊技媒体の数量をカード等に納めることのできる機能を持つ遊技媒体処理システムにあっては、前記同様計数している最中にこの離席用のボタンを押すと、その後の計数分については、他人によってカード等に書込まれ、盗まれるといった危険性がある。
【０００５】
本発明は、前述した計数中の誤操作による煩雑な処理、および遊技媒体数の書込まれたカード等の遊技記録媒体を他人に盗まれることのない遊技媒体処理システムを提供することを目的としている。
【０００６】
【課題を解決するための手段】
上記の目的を達成するための本発明の遊技媒体処理システムは、複数の遊技機を有する遊技用島台の遊技媒体処理システムであって、この処理システムは、少なくとも遊技機に対応して配設される遊技媒体返却手段と、この遊技媒体返却手段における遊技媒体計数手段で計数された値を特定可能な情報が記録された記録媒体を発行する記録媒体発行手段と、特定の前記遊技機から遊技者が離席している間、当該遊技機に対応する前記遊技媒体処理システムを所定の状態に保持するために操作される離席中操作手段と、遊技者が前記遊技媒体返却手段によって遊技用島台に返却した遊技媒体を遊技者の指示により払い戻す遊技媒体払戻し操作手段と、を備えるとともに、前記遊技媒体返却手段における遊技媒体計数手段の作動中は、少なくとも前記記録媒体発行手段、離席中操作手段が不能動化状態に制御されることを特徴としている。
この特徴によれば、遊技媒体計数手段の作動中にあっては、遊技媒体の計数処理を阻害する他の要因となる記録媒体発行手段や離席中操作手段の作動を禁止し、計数完了後に前記禁止処理を解除するため、計数途中における遊技媒体数を記録した記録媒体が発行されたり、他人に発行された記録媒体が盗まれるといった事態を防止できる。
【０００７】
本発明の遊技媒体処理システムは、前記遊技媒体返却手段における遊技媒体計数手段の作動中、遊技媒体払戻し操作手段をも不能動化状態に制御されることが好ましい。
このように、遊技媒体計数手段の作動中には遊技媒体の払い戻しの操作ができないようにすれば、返却によるプラスカウントと払い戻しによるマイナスカウントの同時演算処理が不要となり、制御ステップを簡素化できる。さらに、誤って払戻操作が行われた場合に、払い戻された遊技媒体を再び返却して計数させなければならない不都合を防止できる。
【０００８】
【発明の実施の形態】
以下、本発明の実施形態を図面に基づいて説明していくと、まず図１には本発明の適用された遊技島台としてのパチンコ島台１が示されている。前記パチンコ島台１の前後面（後面は図示せず）は該パチンコ島台１内下部を覆う腰板７と、該腰板７上に列設される遊技機としてのパチンコ機２、及びパチンコ機２の隣に設けられる玉貸機３と、パチンコ島台１内の上部を覆う幕板６ａ、６ｂ等とから構成され、その側面は、パチンコ機２上部に設けられる供給樋部（図示略）に連通するあふれ玉通路１０が固設される支持板９により構成されている。
【０００９】
本実施の形態におけるパチンコ島台１は、前後面にそれぞれ２機ずつのパチンコ機２と玉貸機３が列設され、内部にはこれらパチンコ機２を稼動させるべく必要なパチンコ玉や適宜装置等が全て収容されている１つの独立したパチンコ島台を構成しており、これら個々のパチンコ島台１を左右方向に複数連結し、長いパチンコ島台を形成することが出来るようになっている。この時、各パチンコ島台１内の配線は、支持板９上部に形成された開口１３を介して容易に接続出来るようになっている。
【００１０】
前記パチンコ機２の下部前面には、図１〜図３に示すように、遊技者に対して払い出されるパチンコ玉を一時的に貯留し、ハンドル１６の操作により作動する打球発射装置（図示略）にパチンコ玉を導く上皿１４と、該上皿１４よりオーバーフローするパチンコ玉を貯留出来る下皿１５とが突設されている。
【００１１】
前記下皿１５の下方には、後述する玉計数装置４の一部を構成する玉受皿５が、該下皿１５に設けられた排出口（図示せず）を下から覆うように固設されている。玉受皿５は上面が開口する箱体であり、該玉受皿５内より排出されるパチンコ玉はパチンコ島台１の下部に左右方向に配設される回収樋（図示せず）に導かれるようになっている。
【００１２】
図１の前記玉計数装置４の前面に形成される２４は、各パチンコ機２に対応して腰板７に形成される玉受収納部１１内に載置される玉受用コップ１２内に遊技者が所望するパチンコ玉を払戻させるための払戻ボタンであり、２５は前記払出可能なパチンコ玉が存在する時に点灯表示するＬＥＤランプである。
【００１３】
前記幕板６ａ、６ｂは、前方に開放可能に設けられており、幕板を開放することにより、各パチンコ機２にパチンコ玉を供給する供給樋部内、及びこの供給樋部の側部に形成される供給口（図示略）より連結される配送管、供給管（図示略）内において発生する玉詰りや、内部の適宜制御装置等のメンテナンスを外部より行えるようになっている。
【００１４】
幕板６ｂ前面には、特に図２に示されるように適宜情報の表示が可能な情報表示装置８と、該情報表示装置８の下方に位置し、主に前記玉計数装置４より返却される玉数等を含め、遊技者の獲得玉数等を表示する計数玉数表示器１８とが設けられている。また、前記計数玉数表示器１８の隣には、離席ボタン２０、精算ボタン２１、精算端玉ボタン２２がそれぞれ設けられているとともに、２機のパチンコ機２の中間位置にカード挿入排出口１７が形成されている。尚、前記カード挿入排出口１７裏面には、適宜情報記録媒体としての磁気カードへの情報の記録が可能な図５で後述するカードリードライタ１３５が配設されている。
【００１５】
ここで、本実施の形態におけるパチンコ島台１における遊技方法を簡単に説明する。まず遊技者は現金又はカード等を用いて玉貸機３よりパチンコ玉を購入し、遊技が出来るようになっている。遊技中、大当り等の発生により払い出されたパチンコ玉は一時的に玉計数装置４の玉受皿５等に貯留出来、さらに多くの払出があれば、玉受皿５内のパチンコ玉を一時的に島台内に返却できるようになっている。ここで返却されたパチンコ玉数は計数玉数表示器１８及び情報表示装置８等に表示されるようになっており、遊技中にパチンコ玉がなくなり、一度返却したパチンコ玉、即ち計数玉数表示器１８に表示されている数値分のパチンコ玉を再びパチンコ玉に変換する場合、払戻ボタン２４を押圧すれば、玉受用コップ１２内に適宜量のパチンコ玉が払戻されるようになっている。
【００１６】
次に、遊技を一時的に中断する際に、計数玉数表示器１８に適宜玉数が表示されている場合、遊技者は自分の磁気カードをカード挿入排出口１７に挿入し、離席ボタン２０を押圧すれば、表示された玉数がカードリードライタ１３５により記録されるとともに、再び同一の（自分の）磁気カードが挿入されるまでその玉数が保持されるようになっている。よって他人に持玉を奪われることがない。また、磁気カードがない時には、新規の磁気カードがカードリードライタ１３５内より供給される。
【００１７】
そして遊技を終了する場合は、精算ボタン２１及び精算端玉ボタン２２を押圧し、表示された玉数磁気カードに記録させ、その磁気カードを景品カウンタに持っていき、景品に換えればよい。尚、精算端玉ボタン２１を選択した場合、端玉は玉受用コップ１２内に自動的に払戻されるようになっている。
【００１８】
次に、前記玉計数装置４について説明していくと、図３に示されるように、主にパチンコ島台１の腰板７に着脱可能に取り付けるための取付支持部２７ａの固設された基体部と、該基体部に着脱可能に取り付けられる玉受皿５と、前記基体部２６に固設され、前記玉受皿５内より排出されるパチンコ玉を回収樋へと導く誘導樋としてのレール１５４および補助レール７１と、該レール１５４および補助レール７１の途中に設けられ、前記各レールを通過するパチンコ玉を計数する玉計数器７６とから構成される。
【００１９】
前記玉受皿５の上面所定箇所には、緩衝部材１５５が載置されており、パチンコ機２の下皿１５の排出口より落下されるパチンコ玉の飛び跳ねが防止されるようになっている。４８は玉受皿５内のパチンコ玉を排出するための開口であり、該開口４８はシャッター４６により開閉自在となっている。シャッター４６は、常時前記開口４８を閉とするように設けられている。
【００２０】
補助レール７１の開口１６０内には、補助レール７１下面に取付けられる係止部材１６１をもって通過玉検出器１５９が設けられる。また、玉整流部７５を構成する複数本のレール１５４には、各仕切板３２間に設けられるウェイト７９を有する玉ならし部材７８が回動可能に枢支される軸７７が挿通されている。
【００２１】
なお、玉計数器７６は、仕切板９１と、スペーサー９２と、該スペーサ上部に取り付けられる透明板９３等から構成されている。
【００２２】
このように構成される玉計数装置４は、取付支持部２７ａを腰板７に形成された開口を介して挿通するとともに、その下方の補助レール７１を開口１５２を介して腰板７内に挿通させ、ねじ３５を腰板７の取付穴１５３を介して前記取付支持部２７ａの後板のねじ取付穴に螺入することで、腰板７に着脱自在に固設出来るようになっている。
【００２３】
外部から玉受皿５を取り外す場合は、腰板７上面に載置される外枠底面板１５０上の外枠１５８に枢着されるパチンコ機２の前面枠１５１を開放し、そこから手を挿入して操作レバー（図示せず）を操作すればよい。前記前面枠１５１は通常適宜錠等により施錠されて閉塞されているため、前記操作レバーの係脱操作は店員等以外の者には容易に出来ないようになっている。なお、１４９は外枠１５８の下方を覆う外枠前面板である。
【００２４】
また、前記操作レバー２８の操作は、パチンコ機２の前面枠１５１に限らず、その他パチンコ島台１に設けられる適宜開閉扉を開放することにより出来るようにしてもよい。
【００２５】
このように構成される玉計数装置４は、パチンコ機２より排出されるパチンコ玉を受ける玉受皿５と、該玉受皿５より排出されるパチンコ玉を計数可能な玉計数器７６と、前記玉受皿５内のパチンコ玉を前記玉計数器７６を介してパチンコ島台１内へと誘導する誘導樋とが一体的に設けられ、かつパチンコ島台１に対して着脱自在に設けられているため、メンテナンスや交換作業を容易に行うことが出来る。
【００２６】
さらに玉受皿５が取り外し可能なことにより、内部における玉詰まり等各装置のメンテナンス及び配線処理が行い易くなる。また、取付け、取り外し操作は外部からは出来ないようになっているため、不正行為を回避できる。
【００２７】
次に玉計数装置４の操作方法及び該操作に伴う作用を説明すると、まず図３に示されるようにパチンコ機２の下皿１５より排出されるパチンコ玉は、玉受皿５内の緩衝部材１５５上に落下される。玉受皿５の底面１５６は、パチンコ機２側より前方に向かって下方に傾斜するように形成されているため、落下されたパチンコ玉は傾斜下位側にある開口４８付近から貯留されていく。この時前記開口４８はシャッター４６により閉塞されている。
【００２８】
前記玉受皿５内に貯留されたパチンコ玉を排出する場合、開閉レバー２３を水平方向に摺動させれば、係止部材１６２の突片１６３を介してシャッター４６が連動され、開口４８が開放されることになる。前記開口４８より前方に向かって排出されたパチンコ玉は誘導片４０を通過した後下方に落下して、補強板８３を介して方向転換される。
【００２９】
このように前記開口４８を玉受皿５の底面１５６傾斜下位側に設け、そこからパチンコ玉をパチンコ島台１に向けて方向転換させることで、遊技者に邪魔にならないように玉受皿５内により長い誘導樋を形成出来る。よってパチンコ玉を十分に整流出来るので、計数を迅速にかつ正確に行える。また、玉計数器７６を開口４８からより離間して設けることが出来るため、不正行為をより効果的に防止できる。
【００３０】
方向転換されたパチンコ玉は、前記玉整流部７５内に進入する。ここで各パチンコ玉は複数列設される各レール１５４に１列ずつ進入するように振り分けられる。振り分けられた各パチンコ玉は、玉受皿５前方よりパチンコ機２に向かって下方に傾斜するレール１５４内を通過する途中で、玉計数器７６内をパチンコ玉が１列ずつ１段の状態で通過するように玉ならし部材７８及び玉ならし板３４により平坦に均らされる。
【００３１】
前記玉計数器７６を通過したパチンコ玉数は全て計数され、後述する制御ボックス１５４に送信され、その数値は前述したようにパチンコ機２上部の計数玉表示器１８及び又は情報表示装置８内に表示されるようになっている。さらにパチンコ玉は補助レール７１の通過玉検出器１５９上を通過して、回収樋に排出されるようになっている。前記通過玉検出器１５９は、不正行為を発見するために設けられるものであり、前記玉計数器７６が作動状態にある場合、前記通過玉検出器１５９が通過するパチンコ玉を検出出来ない時は何らかの不正行為がなされていると判別されるようになっている。
【００３２】
図４には、各遊技装置の制御部がバスシステム（ＬＡＮ等）で連絡されるシステムブロック図が示され、島管理装置１０６及び各遊技機に接続された台管理装置１０７がそれぞれホールコンピュータ１０５に連絡され、このホールコンピュータ１０５によってパチンコ島台１及びパチンコ機２の情報収集及び通信が行われる。１００は、ホールコンピュータ１０５からの情報としてカード管理用情報をプールする店舗管理サーバーである。
【００３３】
１０９は、各遊技機間に設置される玉貸機３を各台間サンド管理装置１１２で管理するサンド管理ブロックであり、各台間サンド管理装置１１２のデータは島通信装置１１１を経由してサンドサーバ１１０に入力され、ここで台間サンド管理装置１１２の情報を収集する。
【００３４】
１０８は情報開示装置であり、例えば店内の所定箇所に設置された表示装置によって主に遊技客に対して店内の遊技機の出玉情報や打込み情報等を流せるようになっている。
【００３５】
９９は、島制御システムを示しており、店内システムブロック図に示される各種情報をバスシステムによって収集するとともに、バスシステム中の端末（１）１０３、端末（２）１０２を経由させて制御コンピューター１０１を用いて後述するパチンコ島台内の玉の揚送、循環、供給、返却、払い戻し、表示等の制御を行うシステムである。
【００３６】
１１３は、会員登録機であり、運転免許証等を読取り機１１４で読み込み、認証した後に氏名、店の会員番号及びＩＤ等を登録することにより、ここで店内で使用可能な会員カードを発行できるようになっている。この会員カードは前述したパチンコ島台１のカード挿入排出口１７に挿入されることにより、遊技により獲得した玉をこの会員カードにも書込めるようになっている。また、インターフェース１１５を介して照会機１１６が設けられ、前記した会員カードの使用に当っては、この照会機１１６によって真正の会員カードか否か、または会員のＩＤを含め不正会員であるか否かのチェックを行えるようになっている。この照会機１１６、インターフェース１２５、１２７を介して会員カードによるジュース等の自販機１２６、たばこなどの等価交換機１２８とも連絡しており、前述のチェックも可能になっている。なお、カードの自動発行に代えて、店員が新しいカードを手渡しで発行してもよく、会員カードに代えて当日カードの発行も可能である。
【００３７】
上述のシステムでは、会員カードの登録、発行、照会等について説明したが、本実施の態様にあっては、図７に示すような当日のみ有効な磁気カード４００を前記カード挿入排出口１７より排出するシステムを使用しており、この場合勝玉としての獲得玉が返却され玉数データが有り、離席ボタン２０、精算ボタン２１、精算端玉ボタン２２を押した時点でカード挿入排出口１７より磁気データと印字データにより玉数、日付、パチンコ機の台番号等が記録されたカードが自動発行されるようになっている。
【００３８】
１１７は帳票等の出力を行うワークステーション、１１８はポスシステムであり、前述したカードの持玉データを読取り、再記入するリードライタ１１９、バーコードリーダ１２０、持玉データに対応する有価媒体の払出機１２１、さらには持玉数、端玉、そして有価媒体の価値を表示する表示器１２２等を管理している。
【００３９】
また、遊技機毎に設置されない一般の共有される計数機１２４もこのポスシステム１１８に接続可能であり、中継装置１２３を介して各計数機１２４から送信される持玉データは表示器１２２に表示され、更に払出器１２１により等価の有価媒体が払出できるようになっている。１２９は、中継装置であり、Ｊ−ＮＥＴ等を利用して第３者が貯玉情報等の管理を行えるようになっている。
【００４０】
１３０は音声応答機であり、各パチンコ機の使用状態のデータ及び情報開示装置１０８のデータに基づき、公衆回線を利用して音声を送信するとともに、台の予約等を受付ける機能を有するものである。なお、音声応答機１３０に代えて、インターネット通信を用いることも可能であり、その場合は、店外のパソコン等に対し公衆回線を利用して文字データや音声データを送信するとともに、予約等を受付けることが可能である。
【００４１】
図５には、パチンコ島台１及び島端ボックス２５０における制御信号系統、及び電源系統のブロック図が示され、パチンコ島台１の表裏Ａ、Ｂ面には各２個のパチンコ機２を有し、これらＡ面のパチンコ機２はインターフェース１４４を介して台管理装置１０７に接続され、同様にＢ面のパチンコ機もそれぞれの台管理装置１０７に接続され、さらに島端ブロック２５０に存在する島管理装置１０６を介してホールコンピュータ１０５に接続されている。また、この島管理装置１０６は端末１０３を介して故障コード等を表示するＬＣＤモニター２５２、代表ランプ２５３、さらにはインターフェース２０３を介して代表ランプ２５３へと接続されている。なお、これら端末１０３は、隣接する他の同様なパチンコ島台もしくは別の一般のパチンコ島台と連絡されているばかりか、前記端末（２）１０２を介して制御コンピュータ１０１へと接続されている。
【００４２】
さらに、台間玉貸機１４２ａ、１４２ｂ、補給玉数計数機１４１ａ、１４１ｂ、アウト玉計数機１４０ａ、１４０ｂも台管理装置１０７に連絡され、この台管理装置１０７から前述のようにホールコンピュータ１０５へと情報が伝達されるようになっている。
【００４３】
１３３は、本発明の要旨となる遊技媒体処理システムに対応する制御用ボックスを示し、この制御用ボックスは前記Ａ面、Ｂ面にそれぞれ１個づつ設けられ、端末（１）１０３、端末（２）１０２を介して制御用コンピュータ１０１に接続され、１ユニットとしてのパチンコ島台１内の各種制御を行うものである。
【００４４】
より詳しくは、制御ボックス１３３には玉研磨揚送機１４３が接続され、パチンコ島台１内の下部タンク等に貯留された玉が上方の樋に随時研磨とともに揚送されるように制御されている。
【００４５】
また、制御ボックス１３３には、２台のパチンコ機２、２近傍にそれぞれ設けられた遊技媒体返却手段としての玉返却機構１３６ａ、１３６ｂ、玉払戻機構１３７ａ、１３７ｂ、そして離席ボタン２０、精算ボタン２１、精算端玉ボタン２２等の各種装置ボタン１３８ａ、１３８ｂ、さらには前記玉返却機構１３６ａ、１３６ｂ、によって獲得した玉を島内に返却した遊技者の持玉数を表示する持玉表示器１３９ａ、１３９ｂが接続されている。記憶媒体発行手段としてのカードリードライタ１３５はそれぞれの制御ボックス１３３に１個接続され、２台のパチンコ機２、２の遊技者が共用できるようになっている。
【００４６】
制御ボックス１３３には店員のみしか操作できない設定用ディップスイッチ１４５が設けられており、各種装置ボタン１３８ａ、１３８ｂによる指令の強制解除や持玉表示器１３９ａ、１３９ｂのクリアー等制御ボックス１３３に直接アクセスし各種機器の制御が行えるようになっている。また、パチンコ島台１外部からリモコン３０２を使っての制御ボックス１３３の操作も可能になっている。またこのリモコン３０を使って、呼出し機能を有する情報開示装置８の表示クリアーや、上方の表示内容を変更することも可能になっている。
【００４７】
なお、３００は光中継装置であり、パチンコ島台１及び端玉ボックス２５０が店内所定位置に配した光送受信装置３０１ａ、３０１ｂ等を介して店内ＬＡＮに送受信できるようになっている。
【００４８】
上述の制御信号系統の下方部には電源系統が示され、ブレーカ２０６、２０７を介して延設された給電ラインにはＡＣ１００Ｖの電源が、さらにブレーカ２０４、２０５を介して延設された給電ラインには無停電電源であるＡＣ１００Ｖの電源が接続されている。この無停電電源は少なくとも停電後１０分間の電力供給が可能になっている。
【００４９】
本実施の態様では、通常ＡＣ１００Ｖの電源が、変圧装置１３２を介してパチンコ機２に接続され、玉研磨揚送機１４３等にも通常ＡＣ１００Ｖの電源が接続されており、停電時にはこれらのパチンコ機や玉の揚送機能は停止されるものの、遊技客とパチンコ島台１との間で行われる玉の授受については、停電したとしても授受作動途中であれば、継続して玉の受け渡しを完了することが必要である。従ってＡ面、Ｂ面に設置された台間玉貸機１４２ａ、１４２ｂ、そして前述の制御ボックス１３３を含め、持玉表示装置１３９ａ、１３９ｂ、各種制御ボタン１３８ａ、１３８ｂ、玉払戻機構１３７ａ、１３７ｂ、玉返却機構１３６ａ、１３６ｂ、カードリードライタ１３５は、変圧装置１３１を介して無停電電源に接続されている。
【００５０】
このように台間玉貸機１４１ａ、１４１ｂにあっては、この無停電電源により停電後約１０分間程度の電力供給が可能になっているため、コインの投入、又はプリペイドカード等の挿入で、上皿１４等に玉が供給されている最中に停電が発生しても、３０秒以内に台間玉貸機１４１ａ、１４１ｂによる玉の貸与が完了することになり、遊技者に損害を与えるようなことがない。
【００５１】
また、玉の返却、払い戻し、精算等を司る制御ボックス１３３にあっても、前記した停電後約１０分間程度の電力供給があることにより、玉返却機構１３６ａ、１３６ｂを利用して獲得玉をパチンコ島台１内に返却している最中に停電が発生しても、この計数に要する時間は玉受皿５内に満盃状態で貯留できる玉は約２５００個であり、これを約４０秒で計数できるとともに、カードリードライタ１３５にあっては、カードへデータを磁気入力するとともに、印字し、発行するまでの所要時間が約数秒であるため、計数中に停電が発生したとしてもその時点から長くても、１分間の余裕があれば十分である。ここで停電後約１０分間程度の電力供給を可能としたのは、不慣れな遊技客のために店員がカードの発行を手助けする時間が含まれている。
【００５２】
勿論制御ボックス１３３に接続された島管理装置１０６、台管理装置１０７、端末（１）１０３等には変圧装置２０８を介して無停電電源が接続されている。なお、光通信用の光中継装置３００にも無停電電源が接続されている。
【００５３】
図６には、制御ボックス１３３におけるブロック図が示され、この制御ボックスは入出力手段２０１を介し、前述したように台管理装置１０７、島管理装置１０６、端末（１）１０３、さらには情報開示装置８に接続される一方、各種玉返却、払い戻し、カード処理等を行う各種装置の制御を行えるようになっている。この制御ボックス１３３内の制御部２００は、店員が操作できる設定用ディップスイッチ１４５及びリモコン操作でリモコン受信部２０２を介して制御部２００における各種制御内容を変更、調整可能になっている。
【００５４】
制御部２００は計数中制御手段２００ｂと離席制御手段２００ａを有しており、計数中制御手段２００ｂは、玉返却機構１３６ａ、１３６ｂを利用して遊技者が獲得玉を計数している最中、玉の計数を阻害する他の要因となる作業をできる限り禁止する計数中禁止処理を行う。図８（ａ）にはこの計数中制御手段２００ｂの処理フローが示されており、このフローについて説明すると、計数中は常時カード発行禁止、離席受付禁止、さらには持玉払戻禁止の状態になっており、計数が終了するまでそれらの解除を許可しないようになっている。
【００５５】
すなわち遊技客が玉返却機構１３６ａ、１３６ｂを使って玉受皿５内の玉をパチンコ島台１内に返却すると、持玉表示器１３９ａ、１３９ｂ（図１及び図３で示される計数表示器１８、及び適宜計数玉を表示する情報開示装置８）に計数された持玉数がデジタル情報として逐次累積表示されていくわけであるが、遊技者が離席ボタン２０又は精算ボタン２１又は精算端玉ボタン２２を押した場合、計数中か否かの判断処理を行い（Ｓ１）、計数中であると判断すると、禁止処理が働き（Ｓ２）、前記ボタン処理をキャンセルする。計数が完了すれば、禁止解除処理が働き（Ｓ３）、離席の受付又は精算ボタン２１や精算端玉ボタン２２によるカード発行が可能になる。
【００５６】
このため、返却による計数途中にカードが発行され、その後に計数された玉を再度カードに書込むといった作業が不要になるとともに、持玉の払い戻しを計数途中に行う場合のプラスカウントとマイナスカウントとの同時演算処理をも不要にでき、制御ステップを簡素化できる。さらに誤って払い戻し操作が行われると、払い戻された玉を再び返却して計数しなければならないが、計数中に持玉払戻禁止になっていなければ、このような不都合も解消できる。また、玉の返却時に例えば不慣れな遊技者が離席ボタンを押して離席した場合、その後の玉の計数分についてカード発行が可能となり、他人にその後の計数分の玉を盗まれる危険があるが、計数中は離席ボタンによる離席受付が禁止されるため、上述のような問題が生じない。
【００５７】
図８（ｂ）には制御部２００の離席制御手段２００ａで行われる計数カウンタ選択処理フローが示され、例えば特定のパチンコ機に遊技者が着席してない場合にそのパチンコ機の計数機を他の遊技者がパチンコ島台の共有の玉計数機（ジェットカウンタ）として利用できるようにする処理フローである。
【００５８】
すなわち玉返却機構１３６ａ、１３６ｂ、各種装置ボタン１３８ａ、１３８ｂおよびカードリードライタ１３５は、前記した計数中禁止処理が働く場合を除いて常時能動状態になっており、不特定の遊技者は、玉計数機として使用したい所定のパチンコ機下方の玉受皿５に玉を投入することが許可されているかどうか確認した後、ここで玉の計数を行えるようになっている。
【００５９】
特定のパチンコ機１の遊技者が離席ボタン２０を押して離席しているのか、離席ボタン２０を押さずに一時的に離席しているのかによって、その許可を与える表示形態が変化するものであり、この表示は計数玉数表示器１８や情報開示装置８に示される。
【００６０】
離席中の表示があり、共有の玉計数機として使用が許される場合、他の遊技者が玉受皿５に玉を投入し、開閉レバー２３を操作すると、玉がパチンコ島台内へと返却される。この返却開始により玉計数器７６がＯＮとなり、計数があることが計数判別処理され（Ｓ４）、次に離席ボタンによる離席状態であるか否かが離席判別処理で判別される（Ｓ５）。ここで離席ボタン２０が押され、離席中であると判別されると、玉計数器７６で計数した玉数を記憶する記憶部として離席中計数記憶部を指定し（Ｓ６）、加算処理を実行する（Ｓ８）。そのため、離席中の遊技者が既に返却した持玉を有していたとしても、その記憶部が区別されることにより、遊技者同士のトラブルが極力防止されることになる。また、離席中であることを知らず、誰も遊技していないものと思い計数した場合であっても同様の効果を得ることができる。
【００６１】
なお、特定のパチンコ機の遊技者が繰り返し玉を返却した場合でも、離席中でないことを離席判別処理が判断し（Ｓ５）、通常計数記憶部を指定することにより、本来の遊技している遊技者の持玉として通常計数記憶部に玉数が累積されていくことになる。ここで、このパチンコ島台には計数玉表示器１８と情報開示装置８が備えられており、他の客が玉を投入した時には情報開示装置８にその玉量を表示し、計数玉表示器１８は本来の遊技者の持玉数を表示したままとすることができる。
【００６２】
図７には本実施の態様で使用するカード４００が示され、厚さ約０．２５ｍｍのＰＥＴ型のリライトカードである。カードの発行時は表面の印字部４００ａに低温発色の印字方式により、１行目に発行日とカード番号が印字されるとともに、２行目以降に履歴が書込まれ、カード４００が発行される。この追加書込み内容は左に台番号及び書込み時間（時間はイニシャル文字で時間区分を表示）を、その右に累積加算された持玉数は玉返却機構１３６ａ、１３６ｂによって返却された玉数から玉払戻機構１３７ａ、１３７ｂによって払い戻された玉数を差引き、現在の持玉として記憶されている玉数が表示される。
【００６３】
遊技者が離席ボタン２０を押して一時的にプレーを中断し、離席するような場合は、情報開示装置８が点滅等し離席状態を示すとともに、台番号及び書込み時間に加えて「リセキ」の印字がされ、カード４００が発行される。
【００６４】
カード４００の裏面は磁気記憶部となっており、表面に印字されたほぼ同内容のデータが記憶されているとともに、真正カードが否かの暗号部、ＩＤ等が入力されている。
【００６５】
遊技者が店内のポスシステム１１８にこの発行されたカード４００を通すことにより、真正カードである旨の判別が行われ、続いて磁気記憶部の持玉データが読み込まれることにより、その玉数が表示機１２２に表示されるとともに、払出機１２１から等価媒体が発行される。ここで使用済のカード４００には図７に示されるような「スミ」の表示がカードリードライタ１１９により付される。
【００６６】
以上、本発明の実施例を図面により説明してきたが、具体的な構成はこれら実施例に限られるものではなく、本発明の要旨を逸脱しない範囲における変更や追加があっても本発明に含まれる。
【００６７】
本発明の説明で使用した表現と、実施の態様中で使用した表現の関係を述べる。「遊技機」は、パチンコ機１と対応しているが、弾球等を利用するものに限らず、コインその他小片媒体で遊技する全ての遊技を含む。
【００６８】
「遊技用島台」はパチンコ島台１と対応しているが、これに限らず上述のように小片媒体で遊技する各種の遊技機の設置台のことである。
【００６９】
「遊技媒体返却手段」は、玉受皿５、玉計数装置４等からなる玉返却機構１３６ａ、１３６ｂと対応しているが、玉の返却だけでなく、コイン等の他の小片媒体をも意味する。
【００７０】
「遊技媒体計数手段」は、玉計数器７６と対応しているが、玉の計数に限らず、コイン等の他の小片媒体の各種計数手段を意味している。
【００７１】
「遊技媒体計数手段で計数された値を特定可能な情報」は、実施の形態では遊技媒体数を記録したカードとして表現されているが、カードＩＤ番号のみの情報でもよく、この場合、例えばカード４００にカードＩＤ番号を記録し、あるいは予め記録されたものを発行し、遊技媒体数をカード４００には記録しないようにし、店舗管理サーバ１００においてカードＩＤ番号に対応させて遊技媒体数を記憶させるようにしてもよい。
【００７２】
「記録媒体発行手段」はカードリードライタ１３５と対応するが、カードは磁気記録、光学記録、他の記録方式のものを意味し、媒体としてはレシート等も含まれる。
【００７３】
「離席中操作手段」は、離席ボタン２０と対応しているが離席ボタン２０等を押すのみに限定されず、離席時を感知するセンサー等の働きと、所定時間の離席継続確認を行うことによって自動的に離席処理する手段も含まれる。
【００７４】
「遊技媒体払い戻し操作手段」は、払戻ボタン２４、及び玉払戻機構１３７ａ、１３７ｂと対応している。
【００７５】
【発明の効果】
本発明の方法及び装置によれば、次のような効果が得られる。
【００７６】
（ａ）請求項１の発明によれば、遊技媒体計数手段の作動中にあっては、遊技媒体の計数処理を阻害する他の要因となる記録媒体発行手段や離席中操作手段の作動を禁止し、計数完了後に前記禁止処理を解除するため、計数途中における遊技媒体数を記録した記録媒体が発行されたり、他人に発行された記録媒体が盗まれるといった事態を防止できる。
【００７７】
（ｂ）請求項２の発明によれば、遊技媒体計数手段の作動中には遊技媒体の払い戻しの操作ができないようにすれば、返却によるプラスカウントと払い戻しによるマイナスカウントの同時演算処理が不要となり、制御ステップを簡素化できる。さらに、誤って払戻操作が行われた場合に、払い戻された遊技媒体を再び返却して計数させなければならない不都合を防止できる。
【００７８】
【図面の簡単な説明】
【図１】本発明の第１の実施形態としてのパチンコ島台を示す斜視図である。
【図２】同じく第１の実施形態としてのパチンコ島台におけるパチンコ機上方部の拡大斜視図である。
【図３】図４の玉計数装置をパチンコ島台に取り付けた状態を示す側方断面図である。
【図４】店内におけるシステムブロック図である。
【図５】遊技機を有する遊技用島台における通信および電力供給系統のブロック図である。
【図６】図５の制御ボックスにおけるブロック図である。
【図７】カードの正面図である。
【図８】（ａ）は計数中禁止処理のフローチャート、（ｂ）は計数カウンタ選択処理のフローチャートである。
【符号の説明】
１                    パチンコ島台（遊技島台）
２                    パチンコ機（遊技機）
３                    玉貸機
４                    玉計数装置
５                    玉受皿
６ａ、６ｂ            幕板
７                    腰板
８                    情報表示装置
９                    支持板
１１                    玉受収納部
１２                    玉受用コップ
１５                    下皿
１８                    計数玉数表示器
２０                    離席ボタン
２１                    精算ボタン
２２                    精算端玉ボタン
２３                    開閉レバー
２４                    払戻ボタン
２５                    ＬＥＤランプ
２７ａ、２７ｂ          取付支持部
３１、３２              仕切板
３４                    玉ならし板
４０                    誘導片
４６                    シャッター
７１                    補助レール
７５                    玉整流部
７６                    玉計数器
７８                    玉ならし部材
７９                    ウェイト
９１                    仕切板
９２                    スペーサ
９９                    島制御システム
１０１                    制御コンピュータ
１０２                    端末（２）
１０３                    端末（１）
１０５                    ホールコンピュータ
１０６                    島管理装置
１０７                    台管理装置
１０８                    情報開示装置
１０９                    サンド管理ブロック
１１０                    サンドサーバ
１１１                    島通信装置
１１２                    台間サンド管理装置
１１３                    会員登録機
１１４                    読取り機
１１５                    インターフェース
１１６                    照会機
１１７                    ワークステーション
１１８                    ポスシステム
１１９                    リードライタ
１２０                    バーコードリーダ
１２１                    払出機
１２２                    表示器
１２３                    中継装置
１２４                    計数機
１２５                    インターフェース
１２６                    自販機
１２７                    インターフェース
１２８                    等価交換機
１２９                    中継装置
１３０                    音声応答機
１３３                    制御ボックス
１３５                    カードリードライタ
１３６ａ、１３６ｂ        玉返却機構
１３７ａ、１３７ｂ        玉払戻機構
１３８ａ、１３８ｂ        各種装置ボタン
１３９ａ、１３９ｂ        持玉表示器
１４０ａ、１４０ｂ        アウト玉計数機
１４１ａ、１４１ｂ        補給玉数計数機
１４２ａ、１４２ｂ        台間玉貸機
１４５                    設定用デップスイッチ
１５４                    レール
１５５                    緩衝部材
１５６                    底面
１５７                    外枠前面板
１５８                    外枠
１５９                    通過玉検出器
１６０                    開口
１６１                    係止部材
１６２                    係止部材
１６３                    突片
２００                    制御部
２００ａ                  離席制御手段
２００ｂ                  計数中制御手段
２００ｃ                  通常計数記憶部
２００ｄ                  離席中計数記憶部
２０１                    入出力手段
２０２                    リモコン受信部
２０８                    変圧装置
２５０                    島端ボックス
２５２                    ＬＣＤモニター
２５３                    代表ランプ
３００                    光中継装置
３０１ａ、３０１ｂ        光送受信装置
３０２                    リモコン
４００                    カード
４００ａ                  印字部
【図１】
0003995218.tif 000002
【図２】
0003995218.tif 000003
【図３】
0003995218.tif 000004
【図４】
0003995218.tif 000005
【図５】
0003995218.tif 000006
【図６】
0003995218.tif 000007
【図７】
0003995218.tif 000008
【図８】
0003995218.tif 000009